(57)【要約】【課題】未硬化の樹脂シートの片面に導電性部材を付設して補修用シートを構成することにより、金属製の電線管等の部材について、その破損箇所における導電性を回復・維持しながら、破損箇所を容易に補修できる部材の補修用シートと部材の補修方法を提供する。【解決手段】本発明に係る部材の補修用シートは、未硬化の樹脂シートの片面に、導電性部材を付設している。また、樹脂シートの樹脂部分は、紫外線硬化樹脂により形成されている。さらに、樹脂シートの樹脂部分は、ガラス繊維（グラスファイバー）を含んでいる。また、導電性部材は、銅を素材として網の目状に形成されている。一方、本発明に係る部材の補修方法は、未硬化の樹脂シートの片面に導電性部材を付設した補修用シートを、被補修部材の破損箇所に貼り付けるものである。【選択図】図４
2010069795.tif 000002
【特許請求の範囲】
【請求項１】
未硬化の樹脂シートの片面に、導電性部材を付設したことを特徴とする部材の補修用シート。
【請求項２】
樹脂シートは、薄板状に形成された樹脂部分と、樹脂部分の両面に付設された一対の不織グラスファイバーシートと、一対の不織グラスファイバーシートのそれぞれに付設された接着層により構成され、樹脂シートの一方の接着層に導電性部材を付設した請求項１に記載の部材の補修用シート。
【請求項３】
樹脂シートの樹脂部分は、光硬化樹脂により形成されている請求項１または２に記載の部材の補修用シート。
【請求項４】
樹脂シートの樹脂部分は、紫外線硬化樹脂により形成されている請求項１乃至３のいずれかに記載の部材の補修用シート。
【請求項５】
樹脂シートの樹脂部分を形成する紫外線硬化樹脂は、ポリエステルレジンとスチレンから成る請求項４に記載の部材の補修用シート。
【請求項６】
樹脂シートの樹脂部分は、ガラス繊維（グラスファイバー）を含んでいる請求項１乃至５のいずれかに記載の部材の補修用シート。
【請求項７】
導電性部材は、網の目状に形成されている請求項１に記載の部材の補修用シート。
【請求項８】
導電性部材は、銅を素材として形成されている請求項１または７に記載の部材の補修用シート。
【請求項９】
未硬化の樹脂シートの片面に導電性部材を付設した補修用シートを、被補修部材の破損箇所に貼り付けることを特徴とする部材の補修方法。
【請求項１０】
被補修部材の破損箇所に、導電性部材を宛がう工程と、導電性部材を被補修部材の破損箇所に押し付けた状態を維持するように、未硬化の樹脂シートを導電性部材の上から被補修部材に貼り付ける工程から成ることを特徴とする部材の補修方法。
【発明の詳細な説明】
【技術分野】
【０００１】
本発明は、種々の電線類を収容している電線管等の部材について、例えば、腐食等を原因として、部材に孔が開いたり、亀裂が生じてしまったときに、その破損箇所を補修するために使用される、部材の補修用シートと部材の補修方法に関するものである。
【０００２】
具体的には、金属製の電線管等の部材について、その破損箇所における導電性を回復・維持しながら、破損箇所を補修するものである。
【背景技術】
【０００３】
種々の電線類を収容している金属製の電線管等の部材については、例えば、腐食等を原因として、管壁に孔が開いたり、亀裂が生じてしまうことがある。また、金属製の電線管等の部材について、このような腐食を放置すると、部材が破断してしまうこともある。
【０００４】
そして、電線管等の部材を数多く設置している、例えば、原子力発電所等の設備においては、電線管等の部材に孔が開いたり、亀裂が生じてしまうと、その破損箇所から水等が浸入して、電線管の内部に収容している種々の電線類に損傷を与える虞がある。
【０００５】
そのため、電線管が破損したときには、新しい電線管に取り替える必要がある。
【０００６】
この電線管の取り替え作業は、収容している種々の電線類を電線管から抜き出してから、破損した電線管を撤去して新しい電線管を設置し、この電線管に電線類を再度入れなければならないため、電線管の取り替え作業が非常に面倒であり、また、多くの労働力とコストを要していた。
【０００７】
さらに、原子力発電所等の設備において電線管の取り替え作業を行うときは、電線類に流れる信号を遮断することになり、発電所の運転を停止しなければならない事態が生じることもあるため、その影響が極めて大きいものとなる。
【０００８】
そのため、電線管が破損したときは、破損した電線管を交換することなく、そのまま設置した状態で補修する措置が望まれている。
【０００９】
この補修措置として、一般的には、電線管の破損箇所に所定の防御用シートを圧着して、破損した電線管を補修する方法が採用されている。
【００１０】
この防御用シートは、例えば、片面に接着剤又は粘着剤が塗布され、もう一方の片面には当該面の全面に亘って剛性確保及びクッション材としての機能を有するブロック構造体を多数形成したシート本体により構成されている。
【００１１】
このシート本体は、カッター等で容易に切断可能な加工性と可撓性に優れた合成樹脂である、例えば、ＰＶＣ、プチルゴム、架橋ポリエチレン等から形成されている。
【特許文献１】特開平１１−３１１３９２号公報
【発明の開示】
【発明が解決しようとする課題】
【００１２】
しかしながら、上記したシート本体は、電気的に絶縁性を有する部材により構成されていることから、電線管の破損箇所にシート本体を圧着して補修すると、電線管自体の導電性が低下せざるを得ない。
【００１３】
具体的には、電線管の破損箇所にシート本体を宛がい、破損箇所をシート本体により覆った状態となるが、シート本体が電気的に絶縁性を有する部材により構成されていることから、孔が開いたり、亀裂が生じている破損箇所自体の導電性を回復させるものではない。
【００１４】
その為、従来のシート本体では、電線管の電気的な接続性能を損なわずに、電線管の破損箇所を修復することが困難であった。
【００１５】
また、「電気設備に関する技術基準を定める省令」第１０条（電気設備の接地）では、「電気設備の必要な箇所には、異常時の電位上昇、高電圧の侵入等による感電、火災その他人体に危害を及ぼし、又は物件への損傷を与えるおそれがないよう、接地その他の適切な措置を講じなければならない。」と規定されている。
【００１６】
この規定と同様の主旨により、電線管自体についても、導電性を維持することが求められているのである。
【００１７】
そこで、本発明は如上のような従来存した諸事情に鑑み創出されたもので、未硬化の樹脂シートの片面に導電性部材を付設して補修用シートを構成することにより、金属製の電線管等の部材について、その破損箇所における導電性を回復・維持しながら、破損箇所を容易に補修できる部材の補修用シートと部材の補修方法を提供することを目的とする。
【課題を解決するための手段】
【００１８】
本発明に係る部材の補修用シートは、未硬化の樹脂シートの片面に、導電性部材を付設したことで、上述した課題を解決した。
【００１９】
また、樹脂シートは、薄板状に形成された樹脂部分と、樹脂部分の両面に付設された一対の不織グラスファイバーシートと、一対の不織グラスファイバーシートのそれぞれに付設された接着層により構成され、樹脂シートの一方の接着層に導電性部材を付設したことで、同じく上述した課題を解決した。
【００２０】
さらに、樹脂シートの樹脂部分は、光硬化樹脂により形成されていることで、同じく上述した課題を解決した。
【００２１】
また、樹脂シートの樹脂部分は、紫外線硬化樹脂により形成されていることで、同じく上述した課題を解決した。
【００２２】
加えて、樹脂シートの樹脂部分を形成する紫外線硬化樹脂は、ポリエステルレジンとスチレンから成ることで、同じく上述した課題を解決した。
【００２３】
また、樹脂シートの樹脂部分は、ガラス繊維（グラスファイバー）を含んでいることで、同じく上述した課題を解決した。
【００２４】
この他、導電性部材は、網の目状に形成されていることで、同じく上述した課題を解決した。
【００２５】
また、導電性部材は、銅を素材として形成されていることで、同じく上述した課題を解決した。
【００２６】
一方、本発明に係る部材の補修方法は、未硬化の樹脂シートの片面に導電性部材を付設した補修用シートを、被補修部材の破損箇所に貼り付けることで、同じく上述した課題を解決した。
【００２７】
また、被補修部材の破損箇所に、導電性部材を宛がう工程と、導電性部材を被補修部材の破損箇所に押し付けた状態を維持するように、未硬化の樹脂シートを導電性部材の上から被補修部材に貼り付ける工程から成ることで、同じく上述した課題を解決した。
【発明の効果】
【００２８】
本発明に係る部材の補修用シートは、未硬化の樹脂シートの片面に、導電性部材を付設したことから、この補修用シートを電線管等の部材の破損箇所に貼り付けることにより、破損箇所における電線管自体の導電性を回復・維持しながら、その破損箇所を補修することができる。
【００２９】
すなわち、導電性部材の存在により、電線管の電気的な接続性能を何等損なうことなく、電線管の破損箇所を補修できるのである。
【００３０】
また、樹脂シートは、薄板状に形成された樹脂部分と、樹脂部分の両面に付設された一対の不織グラスファイバーシートと、一対の不織グラスファイバーシートのそれぞれに付設された接着層により構成され、樹脂シートの一方の接着層に導電性部材を付設していることから、具体的な補修作業は、電線管等の部材の破損箇所に、導電性部材を付設した補修用シートを貼り付けるだけである。
【００３１】
その為、電線管等の部材の破損箇所を、容易に補修することができる。また、電線管等の部材の破損箇所を、極めて短時間で補修することもできる。
【００３２】
さらに、樹脂シートの樹脂部分は、光硬化樹脂により形成されていることから、電線管等の部材の破損箇所に貼り付けた補修用シートを、容易に硬化させることができる。
【００３３】
また、樹脂シートの樹脂部分は、紫外線硬化樹脂により形成されていることから、電線管等の部材の破損箇所に貼り付けた補修用シートを、紫外線により迅速に硬化させることができる。また、低温の状態であっても、補修用シートを確実に硬化させることができる。
【００３４】
加えて、樹脂シートの樹脂部分を形成する紫外線硬化樹脂は、ポリエステルレジンとスチレンから成ることから、迅速な硬化、低温状態での硬化は勿論のこと、防水性・耐候性・耐腐食性等に優れた補修用シートを形成できる。さらに、このような補修用シートを、安価に製作することもできる。
【００３５】
また、樹脂シートの樹脂部分は、ガラス繊維（グラスファイバー）を含んでいることから、補修用シートを電線管等の部材の破損箇所に貼り付けて補修用シートが硬化したときには、補修用シート自体の堅牢性を長期に渡り維持することができる。
【００３６】
この他、導電性部材は、網の目状に形成されていることから、破損箇所を導電性部材により覆った状態を容易に実現すると共に、破損箇所の周囲において導電性部材が広い範囲に渡って電線管等の部材に確実に当接して、破損箇所における電線管自体の導電性を回復・維持しながら、その破損箇所を補修することができる。
【００３７】
また、導電性部材が網の目状に形成されて、全体として柔軟性を有することから、湾曲している電線管に対して、導電性部材を確実に当接させることができる。
【００３８】
さらに、網の目の開口部を通じて、電線管等の部材に補修用シートの接着層を密着させることができる。
【００３９】
また、網の目状の導電性部材を含んだ状態で補修用シートの全体が硬化するため、破損箇所を補修している補修用シート自体の堅牢性を維持することができる。
【００４０】
加えて、導電性部材は、銅を素材として形成されていることから、導電性部材の電気抵抗が極めて小さいものとなり、破損箇所自体と破損箇所の周囲において、電流の流れ易い状態を確実に維持することができる。
【００４１】
一方、本発明に係る部材の補修方法は、未硬化の樹脂シートの片面に導電性部材を付設した補修用シートを、被補修部材の破損箇所に貼り付けることから、被補修部材における破損箇所の導電性を回復・維持しながら、その破損箇所を容易に補修することができる。
【００４２】
また、被補修部材の破損箇所に、導電性部材を宛がう工程と、導電性部材を被補修部材に押し付けた状態を維持するように、未硬化の紫外線硬化樹脂シートを導電性部材の上から被補修部材に貼り付ける工程から成ることから、破損箇所を導電性部材により覆った状態を容易に実現すると共に、破損箇所の周囲において導電性部材が広い範囲に渡って電線管に確実に当接して、破損箇所における電線管自体の導電性を回復・維持しながら、その破損箇所を補修することができる。
【００４３】
さらに、本発明に係る部材の補修用シートと部材の補修方法によれば、破損箇所における電線管自体の導電性を回復・維持しながら、その破損箇所を補修できることから、電気事業法の内線規定に基づくＤ種接地工事に必要な条件を容易に満たすことができる。
【００４４】
また、「電気設備に関する技術基準を定める省令」第１０条（電気設備の接地）の規定と同様の主旨により、電線管自体について求められている導電性も維持することができるのである。
【発明を実施するための最良の形態】
【００４５】
以下に、本発明を実施するための最良の形態を、図面を参照して説明する。
【００４６】
本発明に係る部材Ｐの補修用シートは、図１（ａ）（ｂ）に示すように、未硬化の樹脂シート1の片面に、導電性部材２を付設して構成されている。
【００４７】
樹脂シート1は、図１（ａ）（ｂ）に示すように、柔軟性を有する薄板状に形成された樹脂部分３を主要な構成要素としている。具体的には、この樹脂部分３を挟み込むようにして、樹脂部分３の両面に不織グラスファイバーシート４，５を付設している。
【００４８】
そして、一方の不織グラスファイバーシート４には、接着層６が付設されている。また、他方の不織グラスファイバーシート５にも、接着層７が付設されている。
【００４９】
このように、樹脂シート1は、柔軟性を有する薄板状に形成された樹脂部分３と、樹脂部分３を挟み込むようにして樹脂部分３の両面に付設された一対の不織グラスファイバーシート４，５と、一対の不織グラスファイバーシート４，５のそれぞれに付設された接着層６，７により構成されている。
【００５０】
本発明に係る部材Ｐの補修用シートの特徴は、未硬化の樹脂シート1の片面に、導電性部材２を付設している点にあるが、具体的には、樹脂部分３の片面に、不織グラスファイバーシート５と接着層７を介して、導電性部材２を付設しているのである。
【００５１】
尚、導電性部材２を付設している樹脂シート1の乾燥を防ぐために、一方の接着層６には、透明な保護フィルム８を剥離可能に取り付けている。また、導電性部材２にも、薄青色等の有色の保護フィルム９を剥離可能に取り付けている。
【００５２】
樹脂シート1を構成する樹脂部分３は、特定の波長の光によって硬化する光硬化樹脂により形成されている。
【００５３】
また、樹脂シート1を構成する樹脂部分３は、紫外線硬化樹脂により形成されていると、より好ましいものとなる。この紫外線硬化樹脂は、例えば、ポリエステル系の樹脂により形成されている。具体的には、ポリエステルレジンとスチレンから成るものである。
【００５４】
尚、紫外線硬化樹脂は、ポリエステルレジンとスチレンから成るものに限定されることはなく、紫外線によって硬化する性質を有するものであれば、どのような成分の樹脂であっても差し支えない。
【００５５】
さらに、樹脂シート1を構成する樹脂部分３は、図１（ａ）（ｂ）に示すように、ガラス繊維（グラスファイバー）１０を含んでいる。ガラス繊維（グラスファイバー）１０は、樹脂シート1全体のおよそ３０パーセントを占めている。
【００５６】
このようなガラス繊維（グラスファイバー）１０を含む樹脂部分３（ポリエステル系の樹脂）により、樹脂シート1は、耐圧１．２Mｐａ 、耐熱温度マイナス３０度〜２００度、接着強度５．２２Mｐａ、絶縁破壊強さ２２ｋＶ／mm、燃性防災１級、線膨張率２．５×１０−５、引っ張り強度３０．９Mｐａ等の機能・効果を発揮するものである。
【００５７】
樹脂シート1の片面に付設する導電性部材２は、図２に示すように、薄板部材を網の目状に形成している。具体的には、網の目の開口部を略菱形状とし、この略菱形状を縦方向・横方向に連設して形成している。また、導電性部材２は、銅を素材として網の目状に形成している。
【００５８】
このように、銅を素材として網の目状に形成した導電性部材２は、電線管の電気抵抗値２ｍΩに対して４．３ｍΩであり、また、電線管と組み合わせた時の電気抵抗値が８．４〜２２４ｍΩとなり、導電性能が充分に発揮されている。
【００５９】
また、導電性部材２は、網の目状に形成しているので、接着層７に導電性部材２を付設したときに、導電性部材２の網の目の開口部に、接着層７が進入した状態となる。但し、導電性部材２の網の目の端部は、接着層７に埋没することなく、露出した状態が維持されている。
【００６０】
尚、導電性部材２における網の目の開口部は、略菱形状に限定されることはなく、長方形・三角形・円形等のどのような形状であっても差し支えない。
【００６１】
そして、補修用シートは、図３に示すように、比較的に大きく形成された方形状の樹脂シート1の片面に、樹脂シート1よりも小さく形成された方形状の導電性部材２を付設すると、好ましいものとなる。
【００６２】
補修用シートの使用例としては、図４（ａ）（ｂ）に示すように、電線管等の部材Ｐに孔や亀裂が生じたときに、保護フィルム9を剥離してから、その破損箇所Ｈを導電性部材２により覆うようにして、樹脂シート1を電線管等の部材Ｐに巻いて貼り付ける。
【００６３】
このとき、導電性部材２の網の目の開口部を通じて、電線管等の部材Ｐに補修用シートの接着層７が密着している。また、導電性部材２の周囲においては、電線管等の部材Ｐに接着層７が直接密着している。
【００６４】
そして、最後に樹脂シート1の保護フィルム８を剥離し、紫外線（太陽光）を当てて、樹脂部分３を硬化させる。
【００６５】
尚、不織グラスファイバーシート４，５と接着層６，７は、樹脂部分３とほぼ一体となっており、特に接着層６，７は紫外線硬化樹脂を含んでおり、樹脂部分３と共に硬化するものである。
【００６６】
以下に、電線管等の部材Ｐの補修方法を、図５・図６を参照して説明する。
【００６７】
（未硬化の樹脂シートの片面に導電性部材を付設した補修用シートを構成しているとき）
【００６８】
図５（ａ）に示すように、電線管等の部材Ｐについて、破断した破損箇所Ｈが生じたときは、まず、破損箇所Ｈとその周辺にやすりをかけて錆び等を除去し、さらに、アセトン等で脱脂した後に部材Ｐの表面の汚れ等を綺麗に拭きとっておく。
【００６９】
次に、補修用シートの保護フィルム9を剥離してから、図５（ｂ）（ｃ）に示すように、その破損箇所Ｈを導電性部材２により覆うようにして、樹脂シート1を電線管等の部材Ｐに巻いて貼り付ける。
【００７０】
最後に、樹脂シート1の保護フィルム８を剥離し、紫外線（太陽光）を当てて、樹脂部分３と接着層６，７を硬化させる。
【００７１】
（樹脂シートと導電性部材が個別に存在しているとき）
【００７２】
図６（ａ）に示すように、電線管等の部材Ｐについて、破断した破損箇所Ｈが生じたときは、破損箇所Ｈとその周辺にやすりをかけて錆び等を除去し、さらに、アセトン等で脱脂した後に部材Ｐの表面の汚れ等を綺麗に拭きとっておく。
【００７３】
次に、図６（ｂ）に示すように、電線管等の部材Ｐについて、破断した破損箇所Ｈに導電性部材２を宛がう。
【００７４】
次に、保護フィルム9を剥離してから、図６（ｃ）（ｄ）に示すように、導電性部材２を破損箇所Ｈに押し付けた状態を維持するように、未硬化の樹脂シート１を導電性部材２の上から部材Ｐに貼り付ける。
【００７５】
最後に、樹脂シート1の保護フィルム８を剥離し、紫外線（太陽光）を当てて、樹脂部分３と接着層６，７を硬化させる。
【産業上の利用可能性】
【００７６】
本発明に係る部材の補修用シートと部材の補修方法は、種々の電線類を収容している電線管等の部材に孔が開いたり、亀裂が生じてしまったときに、その破損箇所を補修するために使用されることの他に、様々な金属構造物の破損箇所について、導電性を回復・維持しながら、その破損箇所を補修する部材の補修用シートと部材の補修方法として、幅広く利用されるものである。
【図面の簡単な説明】
【００７７】
【図１】樹脂シートの片面に導電性部材を付設した補修用シートの構成を示すもので、（ａ）は断面図、（ｂ）は分解斜視図である。
【図２】導電性部材の形状を示す斜視図である。
【図３】比較的に大きく形成された方形状の樹脂シートの片面に、樹脂シートよりも小さく形成された方形状の導電性部材を付設した補修用シートの構成を示す斜視図である。
【図４】補修用シートの使用例を示すもので、（ａ）は電線管等の部材の破損箇所を導電性部材により覆うようにして、樹脂シートを電線管等の部材に巻き付ける状態を示す斜視図、（ｂ）は樹脂シートを電線管等の部材に巻いて貼り付けた状態を示す斜視図である。
【図５】補修用シートの使用例を示すもので、（ａ）は電線管等の部材に破断した破損箇所が生じている状態を示す斜視図、（ｂ）は電線管等の部材の破損箇所を導電性部材により覆うようにして、樹脂シートを電線管等の部材に巻き付ける状態を示す斜視図、（ｃ）は樹脂シートを電線管等の部材に巻いて貼り付けた状態を示す斜視図である。
【図６】補修用シートの使用例を示すもので、（ａ）は電線管等の部材に破断した破損箇所が生じている状態を示す斜視図、（ｂ）は電線管等の部材の破損箇所に導電性部材を宛がう状態を示す斜視図、（ｃ）は導電性部材を破損箇所に押し付けた状態を維持するように、樹脂シートを導電性部材の上から部材に巻き付ける状態を示す斜視図、（ｄ）は樹脂シートを電線管等の部材に巻いて貼り付けた状態を示す斜視図である。
【符号の説明】
【００７８】
Ｐ…部材
Ｈ…破損箇所
１…樹脂シート
２…導電性部材
３…樹脂部分
４…不織グラスファイバーシート
５…不織グラスファイバーシート
６…接着層
７…接着層
８…保護フィルム
９…保護フィルム
１０…ガラス繊維（グラスファイバー）
【図１】
2010069795.tif 000003
【図２】
2010069795.tif 000004
【図３】
2010069795.tif 000005
【図４】
2010069795.tif 000006
【図５】
2010069795.tif 000007
【図６】
2010069795.tif 000008